(57)【要約】【課題】  従来のシートは、４〜５人掛りで敷設や収納を繰返していたもので、手間と時間が掛かり、特にゴルフ場の朝一番でのその作業は大変なものであった。【解決手段】  外側の要所に固定具付シート張止ヒモの付いたシートの片側に巻取りドラム右・ドラム連結部・巻取りドラム左があり、シート開ヒモはドラム側からシートの表側にありシート巻取りヒモはドラム側の反対側からシートの裏側にあるものであり、そして更にシートの裏側には巻取られた後に使用するシートまとめ持運びベルトとシート持運びベルトがあるシートにしたものである。【選択図】図１
2008289822.tif 000002
【特許請求の範囲】
【請求項１】
外側の要所に固定具付シート張止ヒモ５の付いたシート１の片側にドラム連結部４で連結された巻取りドラム右２と巻取りドラム左３があり、シート開ヒモ６はドラム側からシート１の表側にありシート巻取りヒモ７はドラム側の反対側からシート１の裏側にあるものであり、そして更にシート１の裏側には巻取られた後に使用するシートまとめ持運びベルト８とシート持運びベルト９があるシート。
【請求項２】
ヒモの要所要所にコブあるいは凸部を付けたシート巻取りヒモ７のあるシート。
【発明の詳細な説明】
【技術分野】
【０００１】  本発明は、ゴルフ場で使用されている等のシートに関する。
【背景技術】
【０００２】  従来のシートには、ゴルフ場ティグランドの凍結を防ぐ事を目的としたもので、シートの周縁に剛性を有する補強帯板を装着し固定孔を適宜間隔毎に設けたものがある。（例えば、特許文献１参照。）【０００３】  上記背景技術にある特許文献は下記の通りである。
【特許文献１】  特開平１０−２３４９０９号  公報
【発明の開示】
【発明が解決しようとする課題】
【０００４】  従来のシートは、４〜５人掛りで敷設収納を繰返していたもので、手間と時間が掛り、特にゴルフ場の朝一番でのその作業は大変なものであった。【０００５】  本発明は、このような従来有していた問題を解決しようとするものであり、敷設とまとめ持運びを簡易にすることを目的とするものである。
【課題を解決するための手段】
【０００６】  本発明は上記目的を達成するために外側の要所に固定具付シート張止ヒモ５の付いたシート１の片側にドラム連結部４で連結された巻取りドラム右２と巻取りドラム左３があり、シート開ヒモ６はドラム側からシート１の表側にありシート巻取りヒモ７はドラム側の反対側からシート１の裏側にあるものであり、そして更にシート１の裏側には巻取られた後に使用するシートまとめ持運びベルト８とシート持運びベルト９があるシートにしたものである。【０００７】  また本発明は、重要課題であったシートまとめのためにヒモの要所要所にコブあるいは凸部を付けたシート巻取りヒモ７のあるシートにしたものである。【０００８】  上記の課題解決手段による作用は次の通りである。先ずは本発明のシート１がゴルフ場のグリーンをカバーするために敷設された状態を説明する（例えば、図を参照。）。シート１は四方を固定具付シート張止ヒモ５で敷設されている。
シート１の片側にはドラム連結部４で連結された巻取りドラム右２と巻取りドラム左３が固定されていて、シート開ヒモ６はシート１の表側でドラム側に一方が固定されていて、シート巻取りヒモ７はシートの裏側でドラムとは反対側に一方が固定されている。以上が敷設された形態であるが巻取り作業を説明する。
固定具付シート張止ヒモ５の固定部を外し、シート１の裏側にあるシート巻取りヒモ７をドラムを巻き込む方向に静かに引いて行くと、シート開ヒモ６をも巻き込みながらシート１は巻取りドラム右２・ドラム連結部４・巻取りドラム左３に巻かれてゆくのである。そしてシート１の裏側で端末にあるシートまとめ持運びベルト８・シート持運びベルト９でまとめられ簡単に移動できるのである。その時フリーになったシート巻取りヒモもベルトにまとめてゆくのである。【０００９】  ゴルフ場のグリーンへの敷設作業を説明する。先ず敷設したい一辺に置きシートまとめ持運びベルト８・シート持運びベルト９を外し巻取りドラム右２・ドラム連結部４・巻取りドラム左３を一直線にし、フリーになっていてシート１の裏側にあるシート巻取りヒモ７を敷設方向に真直ぐ引いて置き、そしてシート１の表側に一緒に巻取られていたシート開ヒモ６を静かに引いてゆくのである。敷設されたシート１の位置を確認し固定具付シート張止めヒモ５で固定するのである。
このようにして、４〜５人で作業していた工程を１〜２人で後片付けも簡単に出来るようになり、コンパクト且つ美観も損なうことが無くなったのである。これは、これまでグリーン付近に広げられていて美観もおろかロストボール等プレー者にとっては最悪の物だったのが解決出来たのである。プレー者もホッとしゴルフ場も助かり多大な効果を発揮するものである。
【発明の効果】
【００１０】  上述したように本発明のシートは、簡易操作とコンパクト化を実現し、作業性に優れながら美観も損なうことなく且つプレー者に配慮したものになり、これまでの悪いイメージを払拭したシートを提供できる。
【発明を実施するための最良の形態】
【００１１】  以下、本発明の実施の形態を図１〜図５に基づいて説明する。【００１２】  図においては、シート１の四方には固定具付シート張ヒモ５が付いている。【００１３】  また、シート１の片側にはドラム連結部４で連結された巻取りドラム右２と巻取りドラム左３が固定されている。【００１４】  さらに、シート１の表側にはドラム側よりシート開ヒモ６が付いて、シート１の裏側にはドラムの反対側よりシート巻取りヒモ７が付いている。【００１５】  そして、シート１の裏側には、ドラムの反対側にシートまとめ持運ベルト８とシート持運ベルト９が付いているのである。【００１６】  以下、上記構成の動作を説明する。先ずは巻取り収納作業である。固定具付シート張止ヒモ５の固定部を外し、シート１の裏側にあるシート巻取りヒモ７をドラムを巻込む方向に静かに引いてゆくと、シート開ヒモ６をも巻き込みながらシート１は巻取りドラム右２・ドラム連結部４・巻取りドラム左３に巻かれてゆくのである。そしてシート１の裏側で端末にあるシートまとめ持運びベルト８・シート持運びベルト９でまとめられ簡単に移動できるのである。その時フリーになったシート巻取りヒモ７もベルトにまとめてゆくのである。【００１７】  シート１の敷設作業である。先ず敷設したい位置の一辺に置きシートまとめ持運びベルト８・シート持運びベルト９を外し、巻取りドラム右２・ドラム連結部４・巻取りドラム左３を一直線にする。次に、フリーになっていてシート１の裏側にあるシート巻取りヒモ７を敷設方向に真直ぐ引いて置き、そしてシート１の表側に一緒に巻取られていたシート開ヒモ６を静かに引いてゆくのである。敷設されたシート１の位置を確認し固定具付シート張止ヒモ５で固定するのである。
このように、これまで４〜５人での作業が１〜２人で出来るようにコンパクトになり収納もプレー者への迷惑を無くすことができたものである。
【図面の簡単な説明】
【００１８】
【図１】  本発明の実施の形態を示すシートの平面図
【図２】  同シートの側面図
【図３】  同シートの裏面図
【図４】  同シート巻取り後の側面図
【図５】  同図４の右側面図
【符号の説明】
【００１９】１  シート
２  巻取りドラム右
３  巻取りドラム左
４  ドラム連結部
５  固定具付シート張止ヒモ
６  シート開ヒモ
７  シート巻取りヒモ
８  シートまとめ持運びベルト
９  シート持運びベルト
【図１】
2008289822.tif 000003
【図２】
2008289822.tif 000004
【図３】
2008289822.tif 000005
【図４】
2008289822.tif 000006
【図５】
2008289822.tif 000007